(57)【要約】【課題】ブラインド用フレームの意匠性を向上させること。【解決手段】ブラインド用フレームは、建物の開口部に設置されたブラインドの側部に設けられるフレームであって、ベース部と第１遮蔽片を有する。上記ブラインドは、支持部材と、当該支持部材に一端が支持され当該支持部材から昇降可能に垂下する遮蔽材と、当該遮蔽材の他端に設けられたボトムレールとを有する。上記ベース部は、上記開口部に固定される。上記第１遮蔽片は、上記ベース部から上記遮蔽材に向かって突出し、その一部が上記支持部材の長手方向において上記ボトムレールと重複して上記ボトムレールを挿通する。そしてベース部は、上記第１遮蔽片よりも上記ブラインドの前後方向における中心よりも後方側に形成される。【選択図】図８
2020143458.tif 000002
【特許請求の範囲】
【請求項１】
建物の開口部に設置されたブラインドの側部に設けられるブラインド用フレームであって、
前記ブラインドは、支持部材と、当該支持部材に一端が支持され当該支持部材から昇降可能に垂下する遮蔽材と、当該遮蔽材の他端に設けられたボトムレールとを有し、
当該ブラインド用フレームは、
前記開口部に固定されるベース部と、
前記ベース部から前記遮蔽材に向かって突出し、その一部が前記支持部材の長手方向において前記ボトムレールと重複して前記ボトムレールを挿通する第１遮蔽片と、
を具備し、
前記ベース部は、前記第１遮蔽片よりも前記ブラインドの前後方向における中心よりも後方側に形成される
ブラインド用フレーム。
【請求項２】
請求項１に記載のブラインド用フレームであって、
前記第１遮蔽片は、その一部が前記長手方向において前記遮蔽材と重複し、前記遮蔽材を挿通することで前記開口部と前記遮蔽材との隙間を塞いでいる
ブラインド用フレーム。
【請求項３】
請求項２に記載のブラインド用フレームであって、
前記ベース部との間で当該ブラインド用フレームの全長に亘って空間部を形成し、かつ、前記ベース部を前記開口部に固定するための固定部材を覆うように当該ベース部に着脱可能なカバー部材をさらに具備する
ブラインド用フレーム。
【請求項４】
請求項３に記載のブラインド用フレームであって、
前記カバー部材は、前記長手方向における前記遮蔽材の端部と当接して当該カバー部材と前記遮蔽材との隙間を塞ぐ隙間防止材を有する
ブラインド用フレーム。
【請求項５】
請求項３に記載のブラインド用フレームであって、
前記カバー部材は、当該カバー部材から前記遮蔽材に向かって突出し前記開口部と前記遮蔽材との隙間を塞ぐ第２遮蔽片を有する
ブラインド用フレーム。
【請求項６】
請求項２乃至５のいずれかに記載のブラインド用フレームを有するブラインドであって、
前記長手方向における前記第１遮蔽材の端部は、当該長手方向において前記ベース部と重複する
ブラインド。
【請求項７】
請求項２乃至５のいずれかに記載のブラインド用フレームを有するブラインドであって、
前記遮蔽材は、当該遮蔽材の前後方向における前側に位置し前記長手方向において第１の長さを有する前側遮蔽部と、当該遮蔽材の前後方向における後側に位置し前記長手方向において前記第１の長さよりも短い第２の長さを有する後側遮蔽部とを有し、
前記長手方向における前記前側遮蔽部の端部は、当該長手方向において前記ベース部と重複し、
前記長手方向における前記後側遮蔽部の端部は、当該長手方向において前記ベース部と重複せず対向する
ブラインド。
【発明の詳細な説明】
【技術分野】
【０００１】
本発明は、ブラインド用フレーム及びブラインドに関する。
【背景技術】
【０００２】
従来から、断面が六角形の複数の筒状のセルが連結されて畳み込み及び展開が可能に形成されたハニカムスクリーンと呼ばれるブラインドが存在する。
【０００３】
下記特許文献１には、第１の面と第２の面とがスペーサ手段によって連結された六角形ハニカム断面のスクリーンによって開口部を遮蔽可能とし、開口部を形成する枠板とスクリーンの少なくとも一方の側縁との間の隙間を通過する光を遮蔽するために、縦方向のフレームであるキー手段を枠板に取付け、スクリーン側縁からスペーサ手段の内側に向かってスロットを形成し、キー手段をスロットに係合させることが開示されている。
【０００４】
これによって、スクリーンを下降させて開口部を覆うことで、スクリーンと開口部との間から光や熱エネルギーが通過することを防止できるという特徴を有する。
【先行技術文献】
【特許文献】
【０００５】
【特許文献１】欧州特許出願公開第２３９５１９４号明細書
【発明の概要】
【発明が解決しようとする課題】
【０００６】
しかしながら、上記特許文献１に記載の技術においては、キー手段は、枠板への取付部となるフランジと、フランジに対して略直交する方向に係止片（ウエブ）と、からなり、開口部の枠板の垂直部に対してネジ又は釘によって取付けられるが、取付部であるフランジがスクリーンの側部に露出しており、意匠性を損なうという課題があった。
【０００７】
以上のような事情に鑑み、本発明の目的は、意匠性を向上させることが可能なブラインド用フレーム及び当該ブラインド用フレームを有するブラインドを提供することにある。
【課題を解決するための手段】
【０００８】
上記目的を達成するため、本発明の一形態に係るブラインド用フレームは、建物の開口部に設置されたブラインドの側部に設けられるフレームであって、ベース部と第１遮蔽片を有する。上記ブラインドは、支持部材と、当該支持部材に一端が支持され当該支持部材から昇降可能に垂下する遮蔽材と、当該遮蔽材の他端に設けられたボトムレールとを有する。上記ベース部は、上記開口部に固定される。上記第１遮蔽片は、上記ベース部から上記遮蔽材に向かって突出し、その一部が上記支持部材の長手方向において上記ボトムレールと重複して上記ボトムレールを挿通する。そしてベース部は、上記第１遮蔽片よりも上記ブラインドの前後方向における中心よりも後方側に形成される。
【０００９】
この構成により、ベース部が第１遮蔽片の後方側に設けられることで正面側に露出しないため、意匠性が向上する。ベース部と第１遮蔽片は一体的に形成されてもよいし別部材として形成されてもよい。
【００１０】
上記第１遮蔽片は、その一部が上記支持部材の長手方向において上記遮蔽材と重複し、上記遮蔽材を挿通することで上記開口部と上記遮蔽材との隙間を塞いでもよい。
【００１１】
これにより断熱性能を向上させることができる。
【００１２】
上記ブラインド用フレームは、上記ベース部との間で当該ブラインド用フレームの全長に亘って空間部を形成し、かつ、上記ベース部を上記開口部に固定するための固定部材を覆うように当該ベース部に着脱可能なカバー部材をさらに有してもよい。
【００１３】
これにより、ベース部とカバー部材によって空間部を形成することで、フレーム自体の断熱性能を向上させるとともに、ベース部を固定するための固定部材（ネジ等）をカバー部材によって隠蔽できる。
【００１４】
上記カバー部材は、上記支持部材の長手方向における上記遮蔽材の端部と当接して当該カバー部材と上記遮蔽材との隙間を塞ぐ隙間防止材を有してもよい。
【００１５】
これにより、第１遮蔽片よりも後方側のカバー部材と遮蔽材間の隙間も塞ぐことで、断熱性能を更に向上させることができる。隙間防止材は例えばモヘア等であるがこれに限られない。
【００１６】
上記カバー部材は、当該カバー部材から上記遮蔽材に向かって突出し上記開口部と上記遮蔽材との隙間を塞ぐ第２遮蔽片を有してもよい。
【００１７】
これにより、カバー部材にも遮蔽片を形成することで断熱性能を向上させることができる。
【００１８】
上記支持部材の長手方向における上記第１遮蔽材の端部は、当該長手方向において上記ベース部と重複してもよい。
【００１９】
これにより、遮蔽材をより開口部枠に近づけることができるようになり、断熱性を向上できる。
【００２０】
上記遮蔽材は、当該遮蔽材の前後方向における前側に位置し上記支持部材の長手方向において第１の長さを有する前側遮蔽部と、当該遮蔽材の前後方向における後側に位置し上記支持部材の長手方向において上記第１の長さよりも短い第２の長さを有する後側遮蔽部とを有してもよい。上記支持部材の長手方向における上記前側遮蔽部の端部は、当該長手方向において上記ベース部と重複し、上記長手方向における上記後側遮蔽部の端部は、当該長手方向において上記ベース部と重複せず対向してもよい。
【００２１】
これにより、フレームの前後方向の幅を小さくしながら、遮蔽材をより開口部枠に近づけることができるようになり、断熱性を向上できる。
【発明の効果】
【００２２】
以上説明したように、本発明によれば、意匠性を向上させることができる。しかし、当該効果は本発明を限定するものではない。
【図面の簡単な説明】
【００２３】
【図１】本発明の一実施形態に係るブラインドの平面図である。
【図２】図１のブラインドの正面図である。
【図３】上記ブラインドの右側面（ＹＺ面）断面図である。
【図４】上記ブラインドの下端部付近の部分断面斜視図である。
【図５】上記ブラインドのフレームの部分断面斜視図である。
【図６】上記フレームのフレーム本体の平面図である。
【図７】上記ブラインドのボトムレール端部付近の平面（ＸＺ面）断面図である。
【図８】図７の平面断面図から遮蔽材を一部省略した図である。
【図９】本発明の他の実施形態に係るブラインドのボトムレール端部付近の平面（ＸＺ面）断面図である。
【図１０】本発明の他の実施形態に係るブラインドのボトムレール端部付近の平面（ＸＺ面）断面図である。
【図１１】本発明の他の実施形態に係るブラインドのボトムレール端部付近の平面（ＸＺ面）断面図である。
【図１２】本発明の他の実施形態に係るブラインドのボトムレール端部付近の平面（ＸＺ面）断面図である。
【図１３】本発明の他の実施形態に係るブラインドのボトムレール端部付近の平面（ＸＺ面）断面図である。
【図１４】本発明の他の実施形態に係るブラインドのボトムレール端部付近の平面（ＸＺ面）断面図である。
【図１５】本発明の他の実施形態に係るブラインドのボトムレール端部付近の平面（ＸＺ面）断面図である。
【図１６】本発明の他の実施形態に係るブラインドのボトムレール端部付近の平面（ＸＺ面）断面図である。
【図１７】本発明の他の実施形態に係るブラインドのボトムレール端部付近の平面（ＸＺ面）断面図である。
【図１８】本発明の他の実施形態に係るブラインドのボトムレール端部付近の平面（ＸＺ面）断面図である。
【発明を実施するための形態】
【００２４】
以下、図面を参照しながら、本発明の実施形態を説明する。
【００２５】
［ブラインドの構成］
図１は、本実施形態に係るブラインドの平面図であり、図２は当該ブラインドの正面図である。また図３は、当該ブラインドの右側面（ＹＺ面）断面図であり、図４は、当該ブラインドの下端部付近の部分断面斜視図である。
【００２６】
これらの図に示すように、本実施形態に係るブラインド１００は、支持部材としてのヘッドボックス１と、遮蔽材としてのスクリーン２と、ボトムレール３とを有する。当該ブラインド１００の両側部には、ブラインド１００の上下方向（Ｙ方向）に長尺のフレーム４がそれぞれ設けられる。
【００２７】
ヘッドボックス１は、建物の窓枠等の開口部Ｏに設置される。スクリーン２は、当該ヘッドボックス１によってその上端が支持され昇降可能に垂下される。ボトムレール３は、当該スクリーン２の下端に設けられる。フレーム４は、当該ブラインド１００の側部と開口部Ｏとの隙間を塞ぐように設けられている。
【００２８】
図１乃至図３に示すように、ヘッドボックス１は、横長直方体形状を有し、ブラケット５を介して開口部Ｏにネジ等により固定される。ヘッドボックス１の上面と開口部Ｏとの間には、両者の隙間を塞ぐための例えばモヘヤ等の上部隙間防止材８が設けられている。
【００２９】
図３に示すように、ヘッドボックス１の内部には、巻取ドラム１１が設けられている。巻取ドラム１１には回転軸１０が貫通しており、これにより巻取ドラム１１と回転軸１０は一体に回転可能に支持される。図示しないが、ヘッドボックス１にはこのほか、回転軸の巻解き方向の回転を許容する状態と規制する状態とに切替えるストッパ等も設けられる。
【００３０】
図３及び図４に示すように、スクリーン２は、同図Ｙ方向に断面６角形の複数の筒状のセルが連結されて畳み込み及び展開可能に形成されたハニカムスクリーンである。当該スクリーン２の畳み込まれたときの前後幅（Ｚ方向の長さ）は例えば２５ｍｍである。当該スクリーン２の生地は、例えば光を透過しない素材で形成されているが、シースルー状の素材で形成されていてもよい。
【００３１】
スクリーン２内部には昇降コード挿通孔（図示せず）が形成されており、当該昇降コード挿通孔には、上記ヘッドボックス１から垂下された昇降コード（図示せず）が挿通されている。当該昇降コードの上端は、ヘッドボックス１内で巻取ドラム１１に巻取り及び巻解き可能に連結されており、昇降コードの他端は、ボトムレール３に連結されている。
【００３２】
ヘッドボックス１の右側端部には、回転軸１０と一体回転可能なプーリ等を有する操作ユニット６が設けられており、プーリには操作コード７が巻き掛けられて導出されている。ユーザが当該操作コード７を操作することにより、昇降コードが昇降しボトムレール３が昇降することでスクリーン２を伸縮させることができる。
【００３３】
ボトムレール３の長手方向の両端部は、組立時に上記スクリーン２の下端を挿入可能とするために開口しており、当該開口には、ボトムレールキャップ３１が着脱可能に設けられている。
【００３４】
ボトムレール３の底面には、開口部Ｏとボトムレール３の下端との隙間を塞ぐための例えばゴムパッキン等の下部隙間防止材９が設けられている。
【００３５】
［フレームの詳細］
次に、上記フレーム４の詳細について、スクリーン２及びボトムレール３の関連箇所と併せて説明する。図５はフレーム４の部分断面斜視図であり、図６はフレーム４のフレーム本体の平面図である。また図７は、ボトムレール３の端部付近の平面（ＸＺ面）断面図であり、図８は図７の平面断面図からスクリーン２を一部省略した図である。
【００３６】
図３、図４、図７及び図８に示すように、スクリーン２及びボトムレール３は、ボトムレール３の長手方向（Ｘ方向）の端部に、Ｘ方向の矩形状の切欠部２１及び切欠部３２を有する。ボトムレール３の切欠部３２は、図８に示すように、ボトムレール３本体の切欠部を当該切欠部に沿った形状を有するボトムレールキャップ３１が被うことで形成されている。
【００３７】
図３乃至図８に示すように、フレーム４は、ベース部４１と遮蔽片４２とカバー部材４３とを有する。また図５に示すように、フレーム４の上端には、ヘッドボックス１の左右端部との干渉を防ぐための切欠部である干渉防止部４４が形成されている。
【００３８】
図７及び図８に示すように、ベース部４１の底面は、開口部Ｏにネジ等により固定される。遮蔽片４２は、ベース部４１の前後方向（Ｚ方向）の前側端部からスクリーン２（及びボトムレール３）に向かって突出している。
【００３９】
遮蔽片４２は、その一部（例えば５分の４程度）が、ヘッドボックス１の長手方向（Ｚ方向）においてスクリーン２及びボトムレール３と重複しており、スクリーン２の切欠部２１及びボトムレール３の切欠部３２を挿通している。これにより遮蔽片４２は、開口部Ｏとスクリーン２との隙間を塞いでおり、空気の流入を防止して断熱性を向上させている。
【００４０】
切欠部２１及び３２がブラインド１００（スクリーン２）の前後方向（Ｚ方向）におけるほぼ中心に形成されており、切欠部２１及び３２を挿通する遮蔽片４２がベース部４１の前後方向（Ｚ方向）の前側端部に設けられることで、ベース部４１は、遮蔽片４２よりも、ブラインド１００（スクリーン２）のＺ方向における中心よりも後方側に位置することになる。これにより、ベース部４１がブラインド１００の正面側に露出しないため、意匠性が向上する。
【００４１】
カバー部材４３は、ベース部４１を開口部Ｏに固定するためのネジ等の固定部材を覆うように当該ベース部４１に着脱可能であり、ベース部４１との間でフレーム４の全長に亘って空間部Ｓを形成している。本実施形態では、カバー部材４３は断面凸形状を有し、ベース部４１の内側側面の凹部に挿入され係合することで固定されている。
【００４２】
当該カバー部材４３によって空間部Ｓを形成することで、フレーム４自体の断熱性能を向上できるとともに、ベース部４１の固定部材（ネジ等）を隠蔽して意匠性を向上することができる。
【００４３】
図６乃至図８に示すように、遮蔽片４２の前面４２ａのＸ方向端部には、Ｚ方向へ突出する凸部４５が形成されている。当該凸部４５は、遮蔽片４２を、ボトムレール３の切欠部３２の前後方向（Ｚ方向）の内壁面３３と平面視で点接触させることが可能である。
【００４４】
これにより、固定状態にある遮蔽片４２に対して、昇降する側となるボトムレール３の切欠部３２の内壁面３３は接触したとしても昇降方向では線接触となるため、昇降時におけるボトムレール３と遮蔽片４２との間の抵抗が軽減され、安定した昇降動作が可能となると共に、面接触による遮蔽片４２への傷の発生を抑えることができる。
【００４５】
［ブラインドの動作］
次に、以上のように構成されたブラインド１００の動作について説明する。
【００４６】
まず、図１のようにスクリーン２が展開した状態から畳み込む場合、ヘッドボックス１から導出されている操作コード７を操作して昇降コードの巻取方向に回転させると、回転軸１０と巻取ドラム１１が一体に回転して巻取ドラム１１が昇降コードを巻取り、ボトムレール３が上昇してスクリーン２が最下端のセルから上端のセルに向かって順次畳み込まれる。この後、操作コード７の操作を終了すると、回転軸１０の回転がストッパによって拘束され、スクリーン２の畳み込まれた状態が維持される。
【００４７】
次に、スクリーン２が畳み込まれた状態から展開させる場合、操作コード７を操作してストッパを解除する。これによりボトムレール３及びスクリーン２が自重により下降し、スクリーン２が展開する。
【００４８】
このような昇降動作の間、ボトムレール３及びスクリーン２の切欠部３２及び切欠部２１は遮蔽片４２に案内され、遮蔽片４２の前面側では、遮蔽片４２の凸部４５が切欠部３２及び切欠部２１と昇降方向において線接触することで、安定した昇降動作が可能となると共に、遮蔽片４２に傷が付くのを防ぐことができる。
【００４９】
［まとめ］
以上説明したように、本実施形態によれば、フレーム４のベース部４１が遮蔽片４２の後方側（室外側）に設けられることで前面側（室内側）に露出せず、前面側にはフラットな遮蔽片４２のみが露出するため、断熱性能を向上させながら意匠性も向上させることがえきる。
【００５０】
［変形例］
本発明は上述の実施形態にのみ限定されるものではなく、本技術の要旨を逸脱しない範囲内において種々変更され得る。
【００５１】
上述の実施形態では、スクリーン２の畳み込まれたときの前後幅（Ｚ方向の長さ）が２５ｍｍのものが示されたが、当該幅はこれに限られない。図９は、当該スクリーン２の幅が４５ｍｍである場合のブラインド１００のボトムレール３の端部付近の平面（ＸＺ面）断面図である。このように当該幅が大きくなった場合でも上述の実施形態と同様のフレーム４を使用することで同様の効果が得られる。
【００５２】
上述の実施形態においては、遮蔽片４２によってボトムレール３の端部と開口部Ｏとの隙間は塞がれるものの、ベース部４１の厚みの分だけ、ボトムレール３及びスクリーン２の前方部分の端部と開口部Ｏとの間には空間が形成されていた。しかし、図１０に示すように、この空間も形成されないように、ボトムレール３及びスクリーン２を前方部分のみ長手方向により長く形成してもよい。
【００５３】
すなわち、図１０に示すように、スクリーン２及びボトムレール３を、Ｘ方向において第１の長さを有する前側スクリーン２ａ及び前側ボトムレール３ａと、第１の長さよりも短い第２の長さを有する後側スクリーン２ｂ及び後側ボトムレール３ｂとで構成してもよい。この場合、前側スクリーン２ａ及び前側ボトムレール３ａのＸ方向における端部は、当該Ｘ方向においてベース部４１と重複するが、後側スクリーン２ｂ及び後側ボトムレール３ｂのＸ方向における端部は、当該Ｘ方向においてベース部４１と重複せず対向している。これにより、フレーム４の前後方向の幅を小さくしながら、スクリーン２及びボトムレール３をより開口部Ｏに近づけることができるようになり、断熱性をより向上できる。
【００５４】
また、図１１に示すように、ベース部４１をボトムレール３よりもＺ方向の後方に形成してもよい。すなわち、Ｘ方向におけるボトムレール３及びスクリーン２の端部が、当該Ｘ方向においてベース部４１と重複してもよい。この場合、ベース部４１の底板部がネジ等による固定部から前方に延在し、その延在端部からＸ方向に遮蔽片４２が突出している。このような構成によっても、スクリーン２及びボトムレール３をより開口部Ｏに近づけることができるようになり、断熱性をより向上できる。
【００５５】
また、図１２に示すように、図１０のようにスクリーン２及びボトムレール３を、前後で長さの異なる前側スクリーン２ａ及び前側ボトムレール３ａと後側スクリーン２ｂ及び後側ボトムレール３ｂとで構成するとともに、遮蔽片４２の突出長さを短く形成することで、前側スクリーン２ａ及び前側ボトムレール３ａの後面と、後側スクリーン２ｂ及び後側ボトムレール３ｂのＸ方向の端面とで形成される切欠部３２に、フレーム４全体が挿通するようにしてもよい。
【００５６】
上述の実施形態では、前側スクリーン２ａ及び前側ボトムレール３ａの後面と、後側スクリーン２ｂ及び後側ボトムレール３ｂのＸ方向の端面とで形成される切欠部３２に、フレーム４全体が挿通するようにしたが、図１３のように上述の実施形態と比べて短片状の遮蔽片４２及び上述の実施形態と同様のベース部４１が平面視Ｌ字状の切欠部３２を挿通し、長片状の遮蔽片４７（第２遮蔽片）をスクリーン２及びボトムレール３の背面に沿うようにベース部４１に別途形成してもよい。このような構成によっても、スクリーン２及びボトムレール３をより開口部Ｏに近づけることができるとともに、遮蔽片４２よりも後方側のカバー部材４３とスクリーン２との隙間への空気の流入も防ぐことができ、断熱性をより向上できる。
【００５７】
上述の実施形態では、フレーム４にはカバー部材４３が設けられていたが、図１４に示すように、フレーム４にカバー部材を設けずに、平板面からなるベース部４１と当該ベース部４１から同図Ｘ方向に突出する遮蔽片４２のみからなる断面Ｌ字状に形成してもよい。この場合も、図１１の場合と同様にスクリーン２及びボトムレール３をより開口部Ｏに近づけることで、断熱性をより向上できる。
【００５８】
上述の実施形態では、遮蔽片４２はベース部４１と一体的に設けられた。しかし、図１５に示すように、遮蔽片４２はカバー部材４３と一体的に設けられてもよい。すなわち、カバー部材４３が、当該カバー部材４３からスクリーン２及びボトムレール３へ向かって突出しそれらと開口部Ｏと間の隙間を塞ぐ遮蔽片４２を有していてもよい。
【００５９】
また、上述の実施形態において、図１６に示すように、カバー部材４３は、同図Ｘ方向におけるスクリーン２の端部と当接して当該カバー部材４３とスクリーン２との隙間を塞ぐ隙間防止材４６を有してもよい。これにより、遮蔽片４２よりも後方側のカバー部材４３とスクリーン２との隙間への空気の流入も防ぎ、断熱性能を更に向上させることができる。隙間防止材は例えばモヘア等であるがこれに限られない。
【００６０】
また、上述の実施形態において、図１７に示すように、ベース部４１と一体的に形成された遮蔽片４２（第１遮蔽片）に加えて、カバー部材４３からスクリーン２及びボトムレール３に向かって突出し上記開口部Ｏとスクリーン２及びボトムレール３との隙間を塞ぐ遮蔽片４７（第２遮蔽片）を有してもよい。当該遮蔽片４７は、例えば同図に示すようにスクリーン２及びボトムレール３の背面に沿うように、遮蔽片４２と同じ幅に形成される。これにより、カバー部材４３とスクリーン２との隙間への空気の流入も防ぎ、断熱性能を更に向上させることができる。
【００６１】
上述の実施形態では、遮蔽材としてハニカムスクリーンを用いた例が示された。しかし、遮蔽材はこれに限られない。図１８は、遮蔽材としてロールスクリーンを用いたブラインドのボトムレール（ウエイトバー）端部付近の平面（ＸＺ面）断面図である。
【００６２】
同図に示すように、この場合、遮蔽片４２はウエイトバー１０３のＸ方向の両端部に形成された切欠部３２を挿通しており、スクリーン１０２には切欠部は設けられず、そのＸ方向の幅は遮蔽片４２と干渉しない幅に設計される。
【００６３】
これにより、Ｘ方向におけるスクリーン１０２の両端部と各遮蔽片４２の端部との間に隙間が生じるが、ウエイトバー１０３が遮蔽片４２に係止されることで、フレーム４は、ロールスクリーンの昇降時のガイド材としてのみならず、スクリーン１０２が風により煽られるのを防止する煽り止めとして機能する。
【符号の説明】
【００６４】
１………ヘッドボックス
２………（ハニカム）スクリーン
３………ボトムレール
４………フレーム
５………ブラケット
６………操作ユニット
７………操作コード
８………上部隙間防止材
９………下部隙間防止材
１０……回転軸
１１……巻取ドラム
２１……（スクリーン）切欠部
３１……ボトムレールキャップ
３２……（ボトムレール）切欠部
４１……ベース部
４２……（第１）遮蔽片
４２ａ…前面
４３……カバー部材
４４……干渉防止部
４５……凸部
４６……モヘア
４７……（第２）遮蔽片
１００…ブラインド
１０２…（ロール）スクリーン
１０３…ウエイトバー
Ｏ………開口部
Ｓ………空間
【図１】
2020143458.tif 000003
【図２】
2020143458.tif 000004
【図３】
2020143458.tif 000005
【図４】
2020143458.tif 000006
【図５】
2020143458.tif 000007
【図６】
2020143458.tif 000008
【図７】
2020143458.tif 000009
【図８】
2020143458.tif 000010
【図９】
2020143458.tif 000011
【図１０】
2020143458.tif 000012
【図１１】
2020143458.tif 000013
【図１２】
2020143458.tif 000014
【図１３】
2020143458.tif 000015
【図１４】
2020143458.tif 000016
【図１５】
2020143458.tif 000017
【図１６】
2020143458.tif 000018
【図１７】
2020143458.tif 000019
【図１８】
2020143458.tif 000020